(57)【特許請求の範囲】
【請求項１】
トラック単位で情報が記録された記録媒体を再生する再生手段と、該再生手段を制御するマイクロプロセッサと、該マイクロプロセッサに接続して前記再生手段を遠隔操作するためのリモートコントローラとを備えた記録媒体再生装置において、前記リモートコントローラは、少なくとも再生対象のトラック番号とテキストデータとを表示可能な表示部と、該表示部の表示制御をする表示制御部と、前記再生手段を操作するためのキー入力部とを備え、前記表示部で表示可能な複数種類のデータに予め表示の優先度を付しておき、前記キー入力部のスキップアップキー又はスキップダウンキーが押し続けられたときに、再生対象のトラック番号を順次送り又は逆順次送りで更新し、トラック番号を更新するたびに、少なくとも前記した優先度が高いデータは前記マイクロプロセッサから前記表示制御部へ転送することを特徴とする記録媒体再生装置。
【請求項２】
請求項１記載の記録媒体再生装置において、表示の優先度が高いデータはトラック番号を示すデータであり、表示の優先度が低いデータは前記トラック番号に対応付けされたトラックタイトルデータであることを特徴とする記録媒体再生装置。
【請求項３】
請求項１又は請求項２記載の記録媒体再生装置において、前記表示部は文字及び記号を表示可能なドットマトリクス表示器を備え、前記キー入力部のスキップアップキー又はスキップダウンキーが押し続けられたときに、前記ドットマトリクス表示器では更新されたトラック番号に対応するトラックタイトルを表示せずに、トラック番号に依存しない固定表示データを表示することを特徴とする記録媒体再生装置。
【請求項４】
請求項１記載の記録媒体再生装置において、トラック番号の更新周期と表示データの転送時間とを比較する転送時間比較手段を備え、前記キー入力部のスキップアップキー又はスキップダウンキーが押し続けられたときに、優先度が最も高い表示データ以外に転送するデータを優先度順に選択して、前記マイクロプロセッサから前記表示制御部へ転送することを特徴とする記録媒体再生装置。
【請求項５】
請求項１乃至請求項３のいずれかに記載の記録媒体再生装置において、トラック番号の更新周期と表示データの転送時間とを比較する転送時間比較手段を備え、前記キー入力部のスキップアップキー又はスキップダウンキーが押し続けられたときに、優先度が最も高い表示データ以外に転送するデータとして前記トラック番号の更新周期内で転送可能なデータを選択し、前記マイクロプロセッサから前記表示制御部へ転送することを特徴とする記録媒体再生装置。
【請求項６】
請求項３記載の記録媒体再生装置において、前記キー入力部のスキップアップキー又はスキップダウンキーが押し続けられたときに、一つのトラックのトラックタイトルデータを１回だけ前記マイクロプロセッサから前記表示制御部へ転送し、その後トラック番号が更新されても、前記表示部では同一のトラックタイトルを表示し続けることを特徴とする記録媒体再生装置。
【請求項７】
表示部を有するリモートコントローラと、前記表示部を制御する表示制御部へ表示データを転送するマイクロプロセッサとを備えて、トラック単位で情報が記録された記録媒体を再生する記録媒体再生装置の表示制御方法において、前記表示部で表示可能な複数種類のデータに予め表示の優先度を付しておき、
前記リモートコントローラのスキップアップキー又はスキップダウンキーが押し続けられたときに、トラック番号を変更するたびに前記表示部に新たなトラックタイトルを表示する表示モードであるか否かを判別し、前記判別結果が否定であれば、前記表示制御部に前記した優先度の高い表示データを優先的に転送し、該転送されたデータを基に前記表示部での表示を行うことを特徴とする記録媒体再生装置の表示制御方法。
【請求項８】
請求項７記載の記録媒体再生装置の表示制御方法において、複数種類のデータに対して予め表示の優先度を付す場合に、トラック番号を示すデータには最も高い優先度を付し、各トラック番号に対応付けされたトラックタイトルデータには前記トラック番号を示すデータより低い優先度を付すことを特徴とする記録媒体再生装置の表示制御方法。
【請求項９】
請求項７又は請求項８記載の記録媒体再生装置の表示制御方法において、前記リモートコントローラのスキップアップキー又はスキップダウンキーが押し続けられたときに、前記表示部のドットマトリックス表示器では、更新されたトラック番号に対応するトラックタイトルを表示せずにトラック番号に依存しない固定表示データを表示することを特徴とする記録媒体再生装置の表示制御方法。
【請求項１０】
請求項７記載の記録媒体再生装置の表示制御方法において、トラック番号の更新周期と表示データの転送時間とを比較する転送時間比較ステップを備え、前記キー入力部のスキップアップキー又はスキップダウンキーが押し続けられたときに、前記転送時間比較ステップでは、トラック番号を更新するたびに前記表示制御部へ転送する表示データを、前記した優先度の順に従って選択することを特徴とする記録媒体再生装置の表示制御方法。
【請求項１１】
請求項７乃至請求項９のいずれかに記載の記録媒体再生装置において、トラック番号の更新周期と表示データの転送時間とを比較する転送時間比較ステップを備え、前記キー入力部のスキップアップキー又はスキップダウンキーが押し続けられたときに、前記転送時間比較ステップでは、トラック番号が更新されるたびに前記表示制御部へ転送する表示データとして、最も優先度が高い表示データ以外に、前記トラック番号の更新周期内で転送可能なデータを前記優先度に関係なく選択することを特徴とする記録媒体再生装置の表示制御方法。
【発明の詳細な説明】
【０００１】
【発明の属する技術分野】
本発明は、表示部を備えたリモートコントローラが接続される記録媒体再生装置及びその表示制御方法に関する。
【０００２】
【従来の技術】
以下に、表示部を備えたリモートコントローラが接続される記録媒体再生装置の従来例について図１１と共に説明する。
図１１は従来の記録媒体再生装置を例示するブロック図である。図１１に示す記録媒体再生装置４０において、１１はトラック単位で情報が記録された、例えばミニディスク（以下ＭＤとも記す）等の記録媒体を再生するディスク再生手段であり、マイクロプロセッサ（以下ＭＰＵとも記す）１３により制御される。該ＭＰＵ１３にはディスク再生手段１１を操作者が操作するための操作手段１５と、後述する第１のトラック番号更新周期メモリ１７と、前記ディスク再生手段１１を遠隔操作するためのリモートコントローラ２５とを備える。
【０００３】
例えば記録媒体がＭＤである場合には、ＭＤの各トラックには１つの楽曲や楽章などの情報が記録されている。そしてＵＴＯＣ（User Table Of Contents）とよばれる管理テーブルには、トラック番号に対応付けして、各トラックのトラックタイトルが格納されており、ＭＤが再生装置に装着されると前記ＵＴＯＣの情報は自動的に前記ＭＰＵ１３のメモリに読み込まれる。
【０００４】
リモートコントローラ２５は、再生対象として選択されているトラックのトラック番号や、該トラック番号に対応するトラックタイトルや、ディスク再生手段１１の再生モード等を表示する表示部２７と、該表示部２７の表示を制御する表示制御部２９と、ＭＰＵ１３に対してディスク再生手段１１を操作するための操作信号を送信するキー入力部３１とを有する。さらに、リモートコントローラ２５にはイヤホン端子があり、再生されたオーディオ信号がディスク再生手段１１からリモートコントローラ２５を介してイヤホン３５に与えられる。また、ＭＰＵ１３はディスク再生手段１１を制御するとともに、表示制御部２９に対して表示コマンドを含む表示データを転送する。
【０００５】
図２はリモートコントローラの表示部２７での表示例を示す図である。表示部２７はトラック番号や再生モードや再生状態などを表示するセグメント表示器とトラックタイトルなどの文字や記号を表示するドットマトリックス表示器（以下ドット部とも記す）とからなる。
前記セグメント表示器は表示制御部２９の制御に従いセグメントの点灯、消灯、点滅をして、必要な表示を行う。また、ドットマトリクス表示器（ドット部）は、表示制御部２９の制御に従いドットの点灯、消灯を行って、トラックタイトルなどの文字や記号の表示を行う。
【０００６】
キー入力部３１はＳｋｉｐ Ｕｐ／Ｄｏｗｎ キー３３を備える。Ｓｋｉｐ Ｕｐ／Ｄｏｗｎ キー３３はスキップアップキーとスキップダウンキーからなり、操作者がスキップアップキーを押すと再生対象のトラックの番号が１だけインクリメントされ、スキップダウンキーを押すと再生対象のトラックの番号が１だけデクリメントされる。また、操作者がＳｋｉｐ Ｕｐ／Ｄｏｗｎ キー３３を押し続けると、該キーはトラック番号の早送り（ＦＦ）又は早戻し（ＦＢ）機能のキーとなり、トラック番号のＦＦ又はＦＢが行われている間には記録媒体からの再生は行われず、再生対象のトラックの番号が順送り又は逆送りで自動的に更新され、その時のトラック番号を示すデータやトラックタイトルデータなどがＭＰＵ１３から表示制御部２９へ転送され、表示部２７では更新された新たなトラックに関する情報が表示される。
前記トラック番号の自動更新では、例えば操作者がスキップアップキーを押し続けると、押し続けている間は再生対象のトラックの番号が１ずつインクリメントされ、操作者がスキップダウンキーを押し続けると、押し続けている間は再生対象のトラックの番号が１ずつデクリメントされる。
【０００７】
以下、従来例記録媒体再生装置４０における表示部２７の表示制御方法について図６を用いて説明する。
図６は従来例の表示制御方法を示すフローチャートであり、Ｓｋｉｐ Ｕｐ  キーが押し続けられた場合の表示処理を示すフローチャートである。図６において、ステップＳ１１ではSkip UpキーがONになっていることが検出されるとステップＳ１３へ進み、ステップＳ１３では表示モードをトラックタイトル表示モードに設定する。このトラックタイトル表示モードとは、前記したトラック番号のＦＦ又はＦＢを行ったときに、表示部２７のドットマトリックス表示器でトラックタイトルを表示するモードである。ステップＳ１５では再生対象として現在選択されているトラックが最終トラック（最終曲）であるか否かを判別し、最終トラックであればステップＳ１９へ進み、最終トラック以外ならばステップＳ１７へ進む。
【０００８】
ステップＳ１７ではトラック番号を１だけインクリメントし、そのトラックＮＯの表示データの転送を開始する。このデータ転送はＭＰＵ１３から表示制御部２９への転送である。ステップＳ１９では先頭のトラックのトラック番号を表示するためのデータ転送を開始し、ステップＳ２３へ進む。ステップＳ２３では、再生対象として現在選択されているトラック又はトラックＮＯに対応したタイトルデータの転送を開始して、ステップＳ２４へ進む。
【０００９】
ステップＳ２４では押し続けタイマをセットしてステップＳ３３へ進む。前記「押し続けタイマをセット」とは、前記タイマのセットから所定時間が経過したら終了時間（タイムアップ）になるように時間の設定をして経過時間の計測を開始することをさす。ステップＳ３３でSkip UpキーのＯＦＦが検出されたときにばステップＳ１１へ進み、それ以外はステップＳ３５へ進む。前記「Skip UpキーのＯＦＦ」とは「Skip Upキーの押し続け」が解除されたことを指す。ステップＳ３５では、タイマをセットしてから所定の時間が経過したか否かを判別し、経過していなければステップＳ３３へ戻り、経過していれば、すなわち押し続けタイマがタイムアップになっていればステップＳ１５へ進む。図６に示すフローチャートの処理は、再生手段での再生が中止、又は終了した時に強制終了する。
【００１０】
【発明が解決しようとする課題】
前記した従来の表示制御方法では、表示部２７でトラック番号を表示するためのデータ及びトラックタイトルのデータの転送が終了してからトラック番号をインクリメントする。即ち所定時間ごとにトラック番号をインクリメントするとすれば、そのトラック番号更新の周期は、表示すべき全ての表示データを十分転送できるだけの長い時間に設定する必要がある。したがって、ＭＰＵ１３から表示制御部２９への通信線が１本の専用線で構成されている場合などで、通信速度に制約があると、操作者がSkip Upキーを押し続けても、トラック番号を短時間で大幅に変更することが出来ない。トラック番号及びトラックタイトル以外のデータをもトラック番号が更新されるたびに転送した場合は、トラック番号の更新速度が更に遅くなるという問題があった。
【００１１】
図７はリモートコントローラへのコマンド転送に要する時間を例示する図である。この例は図１１に示すＭＰＵ１３から表示制御部２９へ表示用のコマンドを送信する場合の例である。１ビットの転送に０．０９ｍｓを要し、ドットマトリックス表示器に１文字を表示するのに２コマンドが必要で、１コマンドが１６ビット（１．４４ｍｓ）、コマンド間が１ｍｓで合計３．８８ｍｓの時間を要する。
この例、及び後述する図８のデータ転送時間比からも分かるようにトラック番号が更新されるたびに新たなトラックタイトルを表示しようとすると、表示用データ表示制御部２９へ転送するのに長時間を要する。そして、トラック番号の更新周期を大きくとる必要があり、トラック番号を短時間で大幅に変えることが出来ず、操作者が選曲を行うのに長時間を要するという問題があった。
【００１２】
本発明は前記した課題を解決するためになされたもので、その目的は、Skip Up/Downキーが押し続けられた場合に、選択されているトラックに係る情報を表示部に表示しつつトラック番号の早送り（ＦＦ）又は早戻し（ＦＢ）を高速に行えるようにすることである。
【００１３】
【課題を解決するための手段】
本発明は前記課題に鑑みてなされたものであり、第１の発明は、トラック単位で情報が記録された記録媒体を再生する再生手段と、該再生手段を制御するマイクロプロセッサと、該マイクロプロセッサに接続して前記再生手段を遠隔操作するためのリモートコントローラとを備えた記録媒体再生装置において、前記リモートコントローラは、少なくとも再生対象のトラック番号とテキストデータとを表示可能な表示部と、該表示部の表示制御をする表示制御部と、前記再生手段を操作するためのキー入力部とを備え、前記表示部で表示可能な複数種類のデータに予め表示の優先度を付しておき、前記キー入力部のスキップアップキー又はスキップダウンキーが押し続けられたときに、再生対象のトラック番号を順次送り又は逆順次送りで更新し、トラック番号を更新するたびに、少なくとも前記した優先度が高いデータは前記マイクロプロセッサから前記表示制御部へ転送するようにした記録媒体再生装置である。
【００１４】
第２の発明は、第１の発明の記録媒体再生装置の表示制御方法において、表示の優先度が高いデータはトラック番号を示すデータであり、表示の優先度が低いデータは前記トラック番号に対応付けされたトラックタイトルデータであるようにした記録媒体再生装置である。
【００１５】
第３の発明は、第１又は第２の発明の記録媒体再生装置において、前記表示部は文字及び記号を表示可能なドットマトリクス表示器を備え、前記キー入力部のスキップアップキー又はスキップダウンキーが押し続けられたときに、前記ドットマトリクス表示器では更新されたトラック番号に対応するトラックタイトルを表示せずに、トラック番号に依存しない固定表示データを表示するようにした記録媒体再生装置である。
【００１６】
第４の発明は、第１の発明の記録媒体再生装置において、トラック番号の更新周期と表示データの転送時間とを比較する転送時間比較手段を備え、前記キー入力部のスキップアップキー又はスキップダウンキーが押し続けられたときに、優先度が最も高い表示データ以外に転送するデータを優先度順に選択して、前記マイクロプロセッサから前記表示制御部へ転送するようにした記録媒体再生装置である。
【００１７】
第５の発明は、第１乃至第３のいずれかの発明の記録媒体再生装置において、トラック番号の更新周期と表示データの転送時間とを比較する転送時間比較手段を備え、前記キー入力部のスキップアップキー又はスキップダウンキーが押し続けられたときに、優先度が最も高い表示データ以外に転送するデータとして前記トラック番号の更新周期内で転送可能なデータを選択し、前記マイクロプロセッサから前記表示制御部へ転送するようにした記録媒体再生装置である。
【００１８】
第６の発明は、第３の発明の記録媒体再生装置において、前記キー入力部のスキップアップキー又はスキップダウンキーが押し続けられたときに、一つのトラックのトラックタイトルデータを１回だけ前記マイクロプロセッサから前記表示制御部へ転送し、その後トラック番号が更新されても、前記表示部では同一のトラックタイトルを表示し続けるようにした記録媒体再生装置である。
【００１９】
第７の発明は、表示部を有するリモートコントローラと、前記表示部を制御する表示制御部へ表示データを転送するマイクロプロセッサとを備えて、トラック単位で情報が記録された記録媒体を再生する記録媒体再生装置の表示制御方法において、前記表示部で表示可能な複数種類のデータに予め表示の優先度を付しておき、前記リモートコントローラのスキップアップキー又はスキップダウンキーが押し続けられたときに、トラック番号を変更するたびに前記表示部に新たなトラックタイトルを表示する表示モードであるか否かを判別し、前記判別結果が否定であれば、前記表示制御部に前記した優先度の高い表示データを優先的に転送し、該転送されたデータを基に前記表示部での表示を行うようにした記録媒体再生装置の表示制御方法である。
【００２０】
第８の発明は、第７の発明の記録媒体再生装置の表示制御方法において、複数種類のデータに対して予め表示の優先度を付す場合に、トラック番号を示すデータには最も高い優先度を付し、各トラック番号に対応付けされたトラックタイトルデータには前記トラック番号を示すデータより低い優先度を付すようにした記録媒体再生装置の表示制御方法である。
【００２１】
第９の発明は、第７又は第８の発明の記録媒体再生装置の表示制御方法において、前記リモートコントローラのスキップアップキー又はスキップダウンキーが押し続けられたときに、前記表示部のドットマトリックス表示器では、更新されたトラック番号に対応するトラックタイトルを表示せずにトラック番号に依存しない固定表示データを表示するようにした記録媒体再生装置の表示制御方法である。
【００２２】
第１０の発明は、第７の発明の記録媒体再生装置の表示制御方法において、トラック番号の更新周期と表示データの転送時間とを比較する転送時間比較ステップを備え、前記キー入力部のスキップアップキー又はスキップダウンキーが押し続けられたときに、前記転送時間比較ステップでは、トラック番号を更新するたびに前記表示制御部へ転送する表示データを、前記した優先度の順に従って選択するようにした記録媒体再生装置の表示制御方法である。
【００２３】
第１１の発明は、第７乃至第９のいずれかの発明の記録媒体再生装置の表示制御方法において、トラック番号の更新周期と表示データの転送時間とを比較する転送時間比較ステップを備え、前記キー入力部のスキップアップキー又はスキップダウンキーが押し続けられたときに、前記転送時間比較ステップでは、トラック番号が更新されるたびに前記表示制御部へ転送する表示データとして、最も優先度が高い表示データ以外に、前記トラック番号の更新周期内で転送可能なデータを前記優先度に関係なく選択するようにした記録媒体再生装置の表示制御方法である。
【００２４】
【発明の実施の形態】
以下、本発明の実施の形態について説明する。本発明の記録媒体再生装置で再生する記録媒体は、トラック単位で情報が記録されている、例えばミニディスク（ＭＤ）や半導体メモリなど等のランダムアクセスが可能な記録媒体である。そして、本発明の記録媒体再生装置は前記記録媒体を再生する再生手段を遠隔操作するためのリモートコントローラとを備え、該リモートコントローラは、少なくとも再生対象のトラック番号とテキストデータとを表示可能な表示部と、前記再生手段を操作するためのキー入力部とを備える。
【００２５】
前記キー入力部のSkip Up Key又はSkip Down Keyを操作者が押し続けることによって、トラック番号の早送り（ＦＦ）又は早戻し（ＦＢ）が行われる場合には、再生対象のトラックの番号が順送り又は逆送りで自動的に更新され、この更新途中のトラック番号や該トラック番号に対応付けされた諸々の情報が前記表示部に表示される。リモートコントローラの表示部で表示可能な複数種類のデータには、予め表示の優先度を付しておき、ＭＰＵからリモートコントローラの表示制御部へ転送される表示用のデータを、優先度の高いデータのみに制限するか、優先度の高いデータを優先的に転送して、トラック番号の更新が速やかに行われるようにする。そして、ドットマトリックス表示器には、トラック番号が更新される度に新たなトラックタイトルを表示するのではなく、トラック番号に依存しない固定の表示データを表示するようにして、前記表示制御部へ転送するデータの量を削減し、トラック番号が速やかに更新されるようにする。
【００２６】
以下、本発明記録媒体再生装置に係る実施例の構成について図と共に説明する。図１は本発明記録媒体再生装置の実施例を示すブロック図である。図１と図１１とで同一機能、同一作用のブロックには同一の符号を付し、その説明を省略する。図１に示す記録媒体再生装置１０と図１１に示す記録媒体再生装置４０とで異なる主な点は、図１の装置では、第２のトラック番号更新周期メモリ１９、転送優先度メモリ２１、転送時間比較手段２３が設けられている点である。ブロック１７、１９、２１、２３は実施に際してはＭＰＵ１３とそのメモリを用いて構成することも出来る。
【００２７】
Skip Upキー又はSkip Downキーを操作者が押し続けてトラック番号を自動的に更新させた場合に、表示部２７で表示可能な全ての表示データをＭＰＵ１３から表示制御部２９へ転送して表示させるときの、即ち表示モードがトラックタイトル表示モードの場合のトラック番号更新周期は第１のトラック番号更新周期であり、第１のトラック番号更新周期メモリ１７に格納されている。トラック番号更新の速度を上げるために、表示部２７で表示可能な表示データの中の一部だけを転送して表示させるときの、即ち表示モードがトラックタイトル非表示モードのときのトラック番号更新周期は第２のトラック番号更新周期であり、第２のトラック番号更新周期メモリ１９に格納されている。なお、以下の記載では、トラック番号のＦＦ又はＦＢを行うときに、表示部２７のドットマトリックス表示器に更新されたトラックタイトルを表示するのではなく、トラック番号に依存しない文字列や記号を表示する表示モードをトラックタイトル非表示モード又は固定表示モードと記す。
【００２８】
表示部２７で表示可能な複数種類の表示データはその表示の優先度が予め決められていて転送優先度メモリ２１に格納されている。転送時間比較手段２３はトラック番号のＦＦ、又はＦＢにおいて、トラックタイトル非表示モードのときに、トラック番号の更新周期と表示データを表示制御部２９へ転送するのに要する時間とを比較する。ＭＰＵ１３は、表示モードがトラックタイトル非表示モードであるときに、転送時間比較手段２３による比較結果に応じて、表示制御部２９へ転送する表示データの種類を選択する。
【００２９】
以下、本発明記録媒体再生装置の表示制御方法について図と共に説明する。
図３は本発明の表示制御方法に係る第１実施例を示すフローチャートであり、スキップアップキーが押し続けられた場合の例を示す。
図３においては、図６に示す従来例と同一の処理ステップには同一の符号を付し、その説明を省略する。図３のフローチャートで図６のフローチャートと異なる主な点は、図３ではステップＳ２４がなく、ステップＳ２１、Ｓ２５、Ｓ２７、Ｓ２９、Ｓ３１、Ｓ３７が設けられている点である。
【００３０】
図３に示す例では、ＭＰＵ１３から表示制御部２９へ転送するデータの量を削減するために、表示部２７で表示可能な複数のデータ種類に対して表示の優先度を予め付しておき、転送優先度メモリ２１に格納しておく。そして、最も優先度の高いトラック番号表示用データをトラック番号が更新される都度表示制御部２９へ転送し、その他に、トラック番号に無関係で１度だけ転送すればよい固定表示データを表示制御部２９へ最初だけ１回転送するようにした例である。前記固定表示データは、ドットマトリックス表示器でトラックタイトルに代えて表示される。
【００３１】
図８は表示可能な複数種類のデータに予め付した優先度と転送時間の比を例示する図である。図８において、優先度が１は最も優先度が高いデータであることを示し、ここではトラックＮＯだけが優先度１である。優先度が４は表示可能なデータの中で最も優先度が低いデータであることを示し、この例ではＰＬＡＹマークとBoostモードが優先度４である。
データ転送時間比は、夫々のデータを転送するのに要する時間を比率で表現したものであり、トラックＮＯの５に対して、トラックタイトルは２０で大きく、ＬＰモードやＰＬＡＹモードは１で小さい。
なお、ＭＰＵ１３から表示制御部２９へのデータ転送で、例えば１６ビットごとの固定長データとして転送される場合は、前記１単位の固定長データでトラックＮＯデータとそれ以外の一部のデータとを同時に転送できる場合がある。
【００３２】
図３において、ステップＳ１１からステップＳ１９までは図６と同じである。ステップＳ２１では、表示モードがトラックタイトル表示モードであればステップＳ２３へ進み、トラックタイトル非表示モードであればステップＳ２７へ進む。
ステップＳ２３では、再生対象として現在選択されているトラックに対応したタイトルデータの転送を開始して、ステップＳ２５へ進む。ステップＳ２５では押し続けタイマを第１のトラック番号更新周期（以下ロングタイムとも記す）にセットしてステップＳ３３へ進む。
ステップＳ２１からステップＳ２７へ進むと、ステップＳ２７では、固定表示データを転送済みか否かを判別し、転送済みであればステップＳ３１へ進み、転送済みでなければステップＳ２９へ進む。前記固定表示データは１回だけ転送されるデータであり、トラック番号が変わってもその表示内容は更新されないデータである。この固定表示データとして、１曲目のトラックのトラックタイトルを転送することも出来、その場合は１曲目のトラックタイトルが現在のトラック番号に関係なく表示され続ける。
【００３３】
ステップＳ２９ではＭＰＵ１３から表示制御部２９への固定表示データの転送を開始して、ステップＳ３１へ進む。前記したように、前記固定表示データとはトラック番号が変わっても変わらない固定の記号や文字列を示すデータであり、最初に一度だけ転送されるデータである。前記固定表示データは、例えば、固定表示モードのときに表示部２７のセグメント表示器又はドットマトリックス表示器に表示される。
ステップＳ３１では押し続けタイマをショートタイム、すなわち第２のトラック番号更新周期にセットしてステップＳ３３へ進む。
ステップＳ３５からステップＳ３７へ進むと、ステップＳ３７では、表示モードを固定表示モード（トラックタイトル非表示モード）に設定してステップＳ１５へ進む。図３に示すフローチャートの処理は、再生手段での再生が中止、又は終了した時に終了する。
【００３４】
前記したように、図３に示すフローチャートでは、トラックタイトル非表示モード（固定表示モード）では、トラック番号が更新されてもＭＰＵ１３から表示制御部２９へトラックタイトルのデータが送信されず、表示部２７のドットマトリックス表示器に表示されるのはトラック番号でなく、トラック番号に依存しない固定の文字列や記号が表示される。この場合、トラックタイトルを転送する時間が不要となるから、押し続けタイマのショートタイム（第２のトラック番号更新周期）を小さく出来、トラック番号の更新が高速に行われる。
【００３５】
図４は本発明の表示制御方法に係る第２実施例を示すフローチャートであり、スキッププダウンキーが押し続けられた場合の例を示す。図４において、図３に示すフローチャートと同一の処理ステップには同一の符号を付し、その説明を省略する。図４のフローチャートで図３のフローチャートと異なる主な点は、図３のステップＳ１１、Ｓ１５、Ｓ１７、Ｓ１９、Ｓ３３が夫々ステップＳ１１ｂ、Ｓ１５ｂ、Ｓ１７ｂ、Ｓ１９ｂ、Ｓ３３ｂに置き換えられている点である。
【００３６】
ステップＳ１１ｂではSkip DownキーがONになっていることが検出されるとステップＳ１３へ進み、ステップＳ１３で表示モードをトラックタイトル表示モードに設定して、ステップＳ１５ｂへ進む。ステップＳ１５ｂでは再生対象として現在選択されているトラックが先頭のトラック（最初の曲）であるか否かを判別し、先頭トラックであればステップＳ１９ｂへ進み、先頭トラック以外ならばステップＳ１７ｂへ進む。ステップＳ１７ｂではトラック番号を１だけデクリメントし、そのトラックＮＯの表示データの転送を開始する。ステップＳ１９ｂではトラック番号を最終のトラック番号にして、そのトラックＮＯの表示データの転送を開始する。
【００３７】
ステップＳ２５からステップＳ３３ｂへ進んだ場合は、ステップＳ３３ｂでSkip DownキーのＯＦＦが検出されたならステップＳ１１ｂへ進み、それ以外はステップＳ３５へ進む。ステップＳ３５では、押し続けタイマをセットしてから設定した時間が経過したか否かを判別し、経過していなければステップＳ３３ｂへ戻り、経過していれば、すなわち押し続けタイマがタイムアップになっていればステップＳ３７へ進む。ステップＳ３７では、表示モードを固定表示モード（トラックタイトル非表示モード）に設定してステップＳ１５へ進む。図４に示すフローチャートの処理は、再生手段での再生が中止、又は終了した時に強制終了する。
【００３８】
図５は本発明の表示制御方法に係る第３実施例を示すフローチャートである。図５において、図３に示すフローチャートと同一の処理ステップには同一の符号を付し、その説明を省略する。図５のフローチャートで図３のフローチャートと異なる主な点は、図３のフローチャートにおいては、ステップＳ２１で表示モードがトラックタイトル非表示モードであると判別されたときに、固定表示データを転送して表示したのに対し、図５のフローチャートにおいては、ステップＳ２１で表示モードがトラックタイトル非表示モードであると判別されたときに、ステップＳ４８で固定表示データを転送開始する前に、後述する転送時間比較処理を行って、前記した第２のトラック番号更新周期（ショートタイム）と転送しようとするデータの転送時間とを比較して、第２のトラック番号更新周期内で転送可能なデータの種類を転送対象のデータ種類として選択する。
【００３９】
具体的な処理としては、図３のステップＳ２７〜Ｓ３１に代えて、図５ではステップＳ４１〜Ｓ５１が設けられている。なお、ステップＳ４７は前記ステップＳ２７と同じ処理であり、ステップＳ４８は前記ステップＳ２９と、ステップＳ５１は前記ステップＳ３１と夫々同じ処理である。
図５において、ステップＳ４１では後述する転送時間比較処理が済んでいればステップＳ４５へ進み、済んでいなければステップＳ４３へ進む。ステップＳ４３では転送時間比較処理を行いステップＳ４５へ進む。ステップＳ４５ではドットマトリックス表示器で表示する固定データがある場合はステップＳ４７へ進み、ない場合はステップＳ４９へ進む。
【００４０】
ステップＳ４７はステップＳ２７と同じ処理であり、ドットマトリックス表示器に表示する固定表示データを転送済みか否かを判別し、転送済みであればステップＳ４９へ進み、転送済みでなければステップＳ４８へ進む。ステップＳ４８の処理はステップＳ２９の処理と同じであり、固定表示データの転送を開始してステップＳ４９へ進む。ステップＳ４９では、ステップＳ４３での比較結果に基づき、トラックＮＯ以外で転送可能なデータの転送を開始してステップＳ５１へ進む。ステップＳ５１の処理は前記したステップＳ３１の処理と同一であり、押し続けタイマをショートタイム、すなわち第２のトラック番号更新周期にセットしてステップＳ３３へ進む。ステップＳ３３以降は図３の場合と同じである。
【００４１】
図９は本発明に係る転送時間比較処理を示し、優先度を重視した場合の処理を示すフローチャートである。図５のステップＳ４３の処理は図９に示すフローチャートに従って実行される。なお、図９に示す例では説明を簡単にするために、図５に示すフローチャートのステップＳ１７からステップＳ５１へ至るまでに要する時間は、最初のトラック以外ではデータ転送時間に比して小さいものとし、その時間を計算から除外してある。
図９において、ステップＳ６１では転送時間を優先度１のデータの転送時間と優先度２のデータの転送時間とを加算した値にする。この表示の優先度は例えば図８に示すように予め定められ、転送優先度、すなわち表示の優先度として転送優先度メモリ２１に格納されている。
【００４２】
ステップＳ６２では設定時間が転送時間より大きいか否かを判別し、肯定であればステップＳ６３へ進み、否定であればステップＳ６４へ進む。前記「設定時間」とは、前記した第２のトラック番号更新周期（ショートタイム）として設定されている時間である。ステップＳ６３では、前記転送時間に優先度３のデータの転送時間を加算した時間を新たな転送時間としてステップＳ６５へ進む。ステップＳ６４では、優先度１のデータのみを転送可能に設定してこのフローを終了する。
【００４３】
ステップＳ６５では設定時間が転送時間より大きいか否かを判別し、肯定であればステップＳ６６へ進み、否定であればステップＳ６７へ進む。ステップＳ６６では、前記転送時間に優先度４のデータの転送時間を加算した時間を新たな転送時間としてステップＳ６８へ進む。ステップＳ６７では、優先度１及び２のデータを転送可能に設定してこのフローを終了する。ステップＳ６８では設定時間が転送時間より大きいか否かを判別し、肯定であればステップＳ６９へ進み、否定であればステップＳ７０へ進む。ステップＳ６９では、全表示データを転送可能に設定してこのフローを終了する。ステップＳ７０では優先度１、２及び３のデータを転送可能に設定してこのフローを終了する。
【００４４】
なお、ステップＳ６４に示すように、優先度１のデータのみを転送可能にする場合でも、データ転送が例えば１６ビットという固定長のデータ単位で転送される場合で、且つ優先度１のデータだけでは前記固定長のデータより短い場合には、優先度１のデータ以外に優先度の低いデータで転送可能なデータを、優先度１のデータとともに転送するようにしても良い。この場合には、例えば、優先度１のデータと優先度４のデータを転送可能に設定することもある。
【００４５】
図１０は本発明に係る転送時間比較処理を示し、転送可能データを重視した場合の処理を示すフローチャートである。図１０と図９とで同一の処理ステップには同一の符号を付し、その説明を省略する。図１０において、例えばステップＳ６１、Ｓ６３などでステップ内容が略記されているが、その処理内容は図９で説明したとおりである。
前記したように、図９に示す転送時間比較処理では、ＭＰＵ１３から表示制御部２９へ転送するデータは、優先度の高いデータから順に選択され、第２のトラック番号更新周期（ショートタイム）内で転送できるデータだけを転送可能に設定して、そのデータを転送する。
【００４６】
これに対し図１０に示す転送時間比較処理では、ＭＰＵ１３から表示制御部２９へ転送するデータとしては、最優先のデータが転送される他に、優先度に関係なく前記第２のトラック番号更新周期（ショートタイム）内で転送できるデータを転送可能に設定する。例えば、ステップＳ８４に示すように、優先度１、４のデータを設定可能にして転送する。
【００４７】
なお、前記した実施例では、キー入力部のスキップアップキー又はスキップダウンキーが押し続けられたときに、再生対象のトラック番号を順次送り又は逆順次送りで自動的に更新する場合について説明したが、他の名称のキーであっても、或いは、押し続けるキーでなくても、再生対象のトラック番号を順次送り又は逆順次送りで自動的に更新する機能が設定されたキーを用いた場合も、本発明の趣旨を逸脱するものでないことは当然である。
【００４８】
以上詳述したように、本発明を適用した実施の形態によれば、Skip Up/Downキーを押し続けてトラック番号を自動的に順次更新する場合に、リモートコントローラの表示部で表示可能な複数種類のデータに表示の優先度を予め付しておき、優先度が最も高いデータは必ず転送し、それ以外のデータは転送可能なデータだけ転送するようにして、トラック番号の更新周期を短く設定できるようにしている。したがって、本発明によれば、トラック番号を短時間で大幅に更新することができ、操作者は選曲を短時間で行えるようになる。
また、表示部２７のドットマトリックス表示器に或るトラックのトラックタイトルをトラック番号に無関係に固定的に表示することにより、トラック番号更新周期を短く出来て選曲が短時間で出来るのみならず、トラックタイトルを一切表示しない場合よりも、当該ディスクがどのディスクであるかがわかり易くなる。また、選曲を開始したときに最初のトラックのトラックタイトルを固定表示データとして転送し、表示し続けることにより、選曲を開始したときのトラック番号を知ることが出来る。
【図面の簡単な説明】
【図１】本発明記録媒体再生装置の実施例を示すブロック図である。
【図２】リモートコントローラの表示部での表示例を示す図である。
【図３】本発明の表示制御方法に係る第１実施例を示すフローチャートであり、スキップアップキーが押し続けられた場合の例を示す。
【図４】本発明の表示制御方法に係る第２実施例を示すフローチャートであり、スキッププダウンキーが押し続けられた場合の例を示す。
【図５】本発明の表示制御方法に係る第３実施例を示すフローチャートである。
【図６】従来例の表示制御方法を示すフローチャートである。
【図７】リモートコントローラへのコマンド転送に要する時間を例示する図である。
【図８】表示可能な複数種類のデータに予め付した優先度と転送時間の比を例示する図である。
【図９】本発明に係る転送時間比較処理を示し、優先度を重視した場合の処理を示すフローチャートである。
【図１０】本発明に係る転送時間比較処理を示し、転送可能データを重視した場合の処理を示すフローチャートである。
【図１１】従来の記録媒体再生装置を例示するブロック図である。
【符号の説明】
１１    記録媒体再生手段（ディスク再生手段）
１３    マイクロプロセッサ（ＭＰＵ）
１５    操作手段
１７    第１のトラック番号更新周期メモリ
１９    第２のトラック番号更新周期メモリ
２１    転送優先度メモリ
２３    転送時間比較手段
２５    リモートコントローラ
２７    表示部
２９    表示制御部
３１    キー入力部
３３    Skip Up／Down キー
３５    イヤホン
【図１】
0003665595.tif 000002
【図２】
0003665595.tif 000003
【図３】
0003665595.tif 000004
【図４】
0003665595.tif 000005
【図５】
0003665595.tif 000006
【図６】
0003665595.tif 000007
【図７】
0003665595.tif 000008
【図８】
0003665595.tif 000009
【図９】
0003665595.tif 000010
【図１０】
0003665595.tif 000011
【図１１】
0003665595.tif 000012